(57)【要約】【課題】固定作業が無くて着用作業にも手間がかからず、着用時の快適性が向上して、横向きに寝た状態での腰脇部分からの横漏れを広範囲で確実に防止できる使い捨てパンツ型おむつを提供する。【解決手段】前腹部と後背部との間の股部に股用吸収体が固定配置されて、前腹部を股部とほぼ同幅にするとともに、後背部の両側を広幅にして両側部とし、この広幅の両側部を前腹部に廻し込んで、両側部の側縁と前腹部の側縁とが接合され、股部の両側に脚穴部が形成されるとともに、上記前腹部と後背部とに跨る左右の腰脇部分以外の部分で前腹部と後背部とが接合されてなり、上記腰脇部分に、腰脇用吸収体がそれぞれ固定配置されている使い捨てパンツ型おむつ。【選択図】図１３
2008142556.tif 000002
【特許請求の範囲】
【請求項１】
前腹部と後背部との間の股部に股用吸収体が固定配置されて、
前腹部を股部とほぼ同幅にするとともに、後背部の両側を広幅にして両側部とし、
この広幅の両側部を前腹部に廻し込んで、両側部の側縁と前腹部の側縁とが接合され、股部の両側に脚穴部が形成されるとともに、上記前腹部と後背部とに跨る左右の腰脇部分以外の部分で前腹部と後背部とが接合されてなり、
上記腰脇部分に、腰脇用吸収体がそれぞれ固定配置されていることを特徴とする使い捨てパンツ型おむつ。
【請求項２】
股用吸収体が固定配置された股部の左右に、前腹部と後背部のそれぞれが左半分と右半分とで形成されるとともに、この各半分の前腹部と後背部とに跨って脚穴部がそれぞれ形成されて、左右の前腹部の前端同士と左右の後背部の後端同士とが接合されてなり、上記前腹部と後背部とに跨る左右の腰脇部分に、腰脇用吸収体がそれぞれ固定配置されていることを特徴とする使い捨てパンツ型おむつ。
【請求項３】
股部と前腹部と後背部のそれぞれが左半分と右半分とで形成されるとともに、この各半分の前腹部と後背部とに跨って脚穴部がそれぞれ形成されて、左右の前腹部の前端同士と左右の後背部の後端同士と左右の股部同士が接合されてなり、上記左右の股部に股用吸収体がそれぞれ固定配置されるとともに、上記前腹部と後背部との間の左右の腰脇部分に、腰脇用吸収体がそれぞれ固定配置されていることを特徴とする使い捨てパンツ型おむつ。
【請求項４】
上記前腹部と後背部の上側にウエスト用弾性糸が添設され、その下側にボディフィット用弾性糸が添設され、上記脚穴部にレッグ用弾性糸が添設されている請求項１〜３のいずれか１項に記載の使い捨てパンツ型おむつ。
【請求項５】
上記腰脇吸収体が固定配置された部位のボディフィット用弾性糸の収縮力が小さく設定されている請求項４記載の使い捨てパンツ型おむつ。
【請求項６】
上記股用吸収体の前後部は、前腹部と後背部の方向にそれぞれ延長されて、左右の脚穴部に沿うよう略Ｘ字形状に形成されている請求項１〜５のいずれか１項に記載の使い捨てパンツ型おむつ。
【請求項７】
上記腰脇用吸収体の前後部は、左右の脚穴部に沿うよう略Ｃ字形状に形成されている請求項１〜６のいずれか１項に記載の使い捨てパンツ型おむつ。
【請求項８】
上記股用吸収体は、長方形状に形成されている請求項１〜５または７のいずれか１項に記載の使い捨てパンツ型おむつ。
【請求項９】
上記脚穴部は、前後方向の楕円形状抜き穴に形成され、この脚穴部の周囲にほぼ沿って上記レッグ用弾性糸が添設されている請求項１〜８のいずれか１項に記載の使い捨てパンツ型おむつ。
【請求項１０】
上記脚穴部は、前後方向のスリットに形成され、このスリットの左右にほぼ沿って、前腹部の前端と後背部の後端に亘って上記レッグ用弾性糸が添設されている請求項１〜９のいずれか１項に記載の使い捨てパンツ型おむつ。
【請求項１１】
上記股部と前腹部と後背部とは、外面側シートと肌面側シートとを接着して構成され、上記腰脇用吸収体は、外面側シートと肌面側シートとの間に挟着固定されている請求項１〜１０のいずれか１項に記載の使い捨てパンツ型おむつ。
【請求項１２】
上記股部と前腹部と後背部とは、外面側シートと肌面側シートとを接着して構成され、上記腰脇用吸収体は、肌面側シートの上に接着固定されている請求項１〜１０のいずれか１項に記載の使い捨てパンツ型おむつ。
【請求項１３】
上記股用吸収体の左右位置に、立ち上がりフラップが設けられている請求項１〜１２のいずれか１項に記載の使い捨てパンツ型おむつ。
【発明の詳細な説明】
【技術分野】
【０００１】
本発明は、横向きに寝た状態での腰脇部分からの横漏れを広範囲で確実に防止できる使い捨てパンツ型おむつに関する。
【背景技術】
【０００２】
従来、使い捨ておむつと併用する使い捨て補助吸収具として、使い捨ておむつの前腹部または後背部の左右のサイドフラップに別体の補助吸収具をそれぞれ面ファスナーで着脱自在に固定するものがある（例えば、特許文献１参照）。
【０００３】
また、使い捨ておむつと共に着用される使い捨て補助吸収具として、中央縦割りの半パンツ状物がある（例えば、特許文献２参照）。
【０００４】
さらに、使い捨てアンダーガーメントとして、股用吸収体が配置された股部の左右に、前腹部と後背部の左半分と右半分がそれぞれ形成されて、左右の前腹部の前端同士と後背部の後端同士とが接合されるとともに、この各半分の前腹部と後背部とに跨ってスリット状の脚穴部がそれぞれ形成されたものがある（例えば、特許文献３参照）。
【特許文献１】特開２００１−３５３１８０号公報
【特許文献２】特開２００１−３４０３７０号公報
【特許文献３】特開２００２−２４２００１号公報
【発明の開示】
【発明が解決しようとする課題】
【０００５】
しかしながら、特許文献１では、展開可能な使い捨ておむつを対象としており、使い捨ておむつを展開状態として、前腹部または後背部の左右のサイドフラップに別体の補助吸収具をそれぞれ正規の位置に固定する必要があるから、着用者や介護者にとって固定作業に手間がかかるという問題がある。
【０００６】
また、ファスニングテープ等で使い捨ておむつを組み立てて着用するから（開閉式テープ型）、着用時の快適性に欠けるという問題がある。
【０００７】
さらに、前腹部または後背部の左右のサイドフラップに補助吸収具を面ファスナーで着脱自在に固定するだけであるから、着用者の寝返り等の動作により外れて、漏れにつながりやすいという問題がある。
【０００８】
特許文献２では、中央縦割りの半パンツ状物である使い捨て補助吸収具を着用した上に使い捨ておむつを重ねて着用する必要があるから、着用者や介護者にとって着用作業に手間がかかるという問題がある。
【０００９】
また、補助吸収具と使い捨ておむつを２重に着用するから、着用時の快適性に欠けるという問題がある。
【００１０】
さらに、補助吸収具は、着用者の左右のいずれか片方しかカバーできないので、例えば下向きとなる左側をカバーした状態で、右側が下向きとなるように着用者が寝返ったような場合には、腰脇部分からの横漏れを広範囲で確実に防止できないという問題がある。
【００１１】
特許文献３では、弾性伸縮性を有する生地で形成され、股部の左右に形成した前腹部と後背部の左半分と右半分とを、前端同士と後端同士とを接合してなる使い捨てアンダーガーメントが開示されているが、各半分の前腹部と後背部とに跨ってスリット状の脚穴部を形成する構成とすることで、半円状の脚穴部を形成することによる生地の無駄を省くようにしたものであり、横向きに寝た状態での腰脇部分からの横漏れを広範囲で確実に防止できるものではない。
【００１２】
本発明は、上記問題を解消するためになされたもので、従来の補助吸収具のような固定作業が無くて着用作業にも手間がかからず、着用時の快適性が向上して、横向きに寝た状態での腰脇部分からの横漏れを広範囲で確実に防止できる使い捨てパンツ型おむつを提供することを課題とするものである。
【課題を解決するための手段】
【００１３】
上記課題を解決するために、本発明の請求項１は、前腹部と後背部との間の股部に股用吸収体が固定配置されて、この股部の両側に脚穴部が形成されるとともに、上記前腹部と後背部とに跨る左右の腰脇部分以外の部分で前腹部と後背部とが接合されてなり、上記腰脇部分に、腰脇用吸収体がそれぞれ固定配置されていることを特徴とする使い捨てパンツ型おむつを提供するものである。
【００１４】
ここで、股部に股用吸収体を固定配置するとは、外面側シートと肌面側シートとを接着して股部と前腹部と後背部とを構成している場合には、股用吸収体を外面側シートと肌面側シートとの間に挟着固定すること、または股用吸収体を肌面側シートの上に接着若しくは交換可能に固定することも含むものである。
【００１５】
本発明の請求項２は、股用吸収体が固定配置された股部の左右に、前腹部と後背部のそれぞれが左半分と右半分とで形成されるとともに、この各半分の前腹部と後背部とに跨って脚穴部がそれぞれ形成されて、左右の前腹部の前端同士と左右の後背部の後端同士とが接合されてなり、上記前腹部と後背部とに跨る左右の腰脇部分に、腰脇用吸収体がそれぞれ固定配置されていることを特徴とする使い捨てパンツ型おむつを提供するものである。
【００１６】
本発明の請求項３は、股部と前腹部と後背部のそれぞれが左半分と右半分とで形成されるとともに、この各半分の前腹部と後背部とに跨って脚穴部がそれぞれ形成されて、左右の前腹部の前端同士と左右の後背部の後端同士と左右の股部同士が接合されてなり、上記左右の股部に股用吸収体がそれぞれ固定配置されるとともに、上記前腹部と後背部との間の左右の腰脇部分に、腰脇用吸収体がそれぞれ固定配置されていることを特徴とする使い捨てパンツ型おむつを提供するものである。
【００１７】
上記前腹部と後背部の上側にウエスト用弾性糸が添設され、その下側にボディフィット用弾性糸が添設され、上記脚穴部にレッグ用弾性糸が添設されている構成が好ましい（請求項４）。
【００１８】
上記腰脇吸収体が固定配置された部位のボディフィット用弾性糸の収縮力が小さく設定されている構成が好ましい（請求項５）。
【００１９】
本発明において、上記股用吸収体の前後部は、前腹部と後背部の方向にそれぞれ延長されて、左右の脚穴部に沿うよう略Ｘ字形状に形成されている構成が好ましい（請求項６）。
【００２０】
上記腰脇用吸収体の前後部は、左右の脚穴部に沿うよう略Ｃ字形状に形成されている構成が好ましい（請求項７）。
【００２１】
上記股用吸収体は、長方形状に形成されている構成とすることもできる（請求項８）。
【００２２】
上記脚穴部は、前後方向の楕円形状抜き穴に形成され、この脚穴部の周囲にほぼ沿って上記レッグ用弾性糸が添設されている構成とすることができる（請求項９）。
【００２３】
上記脚穴部は、前後方向のスリットに形成され、このスリットの左右にほぼ沿って、前腹部の前端と後背部の後端に亘って上記レッグ用弾性糸が添設されている構成とすることができる（請求項１０）。
【００２４】
上記股部と前腹部と後背部とは、外面側シートと肌面側シートとを接着して構成され、上記腰脇用吸収体は、外面側シートと肌面側シートとの間に挟着固定されている構成とすることができる（請求項１１）。
【００２５】
上記股部と前腹部と後背部とは、外面側シートと肌面側シートとを接着して構成され、上記腰脇用吸収体は、肌面側シートの上に接着固定されている構成とすることができる（請求項１２）。
【００２６】
上記股用吸収体の左右位置に、立ち上がりフラップが設けられている構成が好ましい（請求項１３）。
【発明の効果】
【００２７】
請求項１の発明は、前腹部と後背部とに跨る左右の腰脇部分以外の部分で前腹部と後背部とを接合するタイプのパンツ形状に適用するものである。例えば、前腹部を股部とほぼ同幅にするとともに、後背部の両側を広幅にして、この広幅の両側部を前腹部側に廻し込んで接合することにより、前腹部と後背部とに跨る左右の腰脇部分に接合部分を無くすることができる。
【００２８】
そして、この接合部分の無い左右の腰脇部分に、腰脇用吸収体をそれぞれ固定配置することにより、着用者の腰脇部分全体を腰脇用吸収体で広範囲にカバーできるから、特許文献１と対比して、前腹部または後背部の左右のサイドフラップに補助吸収具を面ファスナーで着脱自在に固定するのでは無いので、着用者の寝返り等の動作により外れないため、漏れを確実に防止できる。特許文献２と対比して、腰脇用吸収体は、着用者の左右の両方をカバーできるので、例えば下向きとなる左側をカバーした状態で、右側が下向きとなるように着用者が寝返ったような場合でも、腰脇部分からの横漏れを広範囲で確実に防止できるようになる。
【００２９】
また、パンツ型おむつとして、腰脇用吸収体を固定配置したから、特許文献１と対比して、展開状態の使い捨ておむつの前腹部または後背部の左右のサイドフラップに別体の補助吸収具をそれぞれ正規の位置に固定する必要がない。特許文献２と対比して、中央縦割りの半パンツ状物である使い捨て補助吸収具を着用した上に使い捨ておむつを重ねて着用する必要がないことから、着用者や介護者にとって固定作業や着用作業に手間がかからなくなる。
【００３０】
さらに、パンツ型おむつとして、腰脇用吸収体を固定配置したから、特許文献１と対比して、ファスニングテープ等で使い捨ておむつを組み立てて着用する必要が無い。特許文献２と対比して、補助吸収具と使い捨ておむつを２重に着用する必要が無いことから、着用時の快適性が向上するようになる。
【００３１】
請求項２の発明は、前腹部と後背部の左半分と右半分とを、前端同士と後端同士とを接合するタイプのパンツ形状（例えば特許文献３）に適用するものである。かかるタイプのパンツ形状でも、請求項１の発明と同様に、従来の補助吸収具のような固定作業が無くて着用作業にも手間がかからず、着用時の快適性が向上して、横向きに寝た状態での腰脇部分からの横漏れを広範囲で確実に防止できるという効果を奏することができる。
【００３２】
請求項３の発明は、例えば特許文献３のパンツ形状に加えて、股部も左半分と右半分に形成して、股部同士も接合するとともに、左右の股部に股用吸収体をそれぞれ固定配置したものである。請求項１の発明と同様に、従来の補助吸収具のような固定作業が無くて着用作業にも手間がかからず、着用時の快適性が向上して、横向きに寝た状態での腰脇部分からの横漏れを広範囲で確実に防止できるという効果を奏することができる。
【００３３】
加えて、前腹部と後背部の左半分と右半分との折り返し部分となる股部の中心部分に股用吸収体が存在しないから、折り返しても股部が堅くならないので、着用時の快適性がより向上するとともに、見映えも良好になる。
【００３４】
請求項４のように、ウエスト用弾性糸とボディフィット用弾性糸とレッグ用弾性糸を添設すると、使い捨てパンツ型おむつ全体が着用者の身体にフィットして、着用時の快適性がより向上するようになる。
【００３５】
請求項５のように、腰脇吸収体を配置した部位のボディフィット用弾性糸の収縮力を小さく設定すると、ボディフィット用弾性糸の収縮に伴う腰脇用吸収体の撚れを防止できるから、着用者の腰脇に対する腰脇用吸収体の密着性が向上して、腰脇部分からの横漏れをより確実に防止できるようになる。
【００３６】
請求項６のように、股用吸収体の前後部を前腹部と後背部の方向にそれぞれ延長して、左右の脚穴部に沿うよう略Ｘ字形状に形成すると、脚穴部周りからの横漏れをより確実に防止できるようになる。
【００３７】
請求項７のように、腰脇用吸収体の前後部を左右の脚穴部に沿うよう略Ｃ字形状に形成すると、股用吸収体を左右の脚穴部に沿うよう略Ｘ字形状に形成する（請求項６）ことと相俟って、腰脇用吸収体と股用吸収体とが脚穴部周りのほぼ全周を取り囲むようになるので、脚穴部周りからの横漏れをより確実に防止できるようになる。
【００３８】
請求項８のように、股用吸収体を長方形状に形成すれば、シンプルな形状となって、コスト安になる。
【００３９】
請求項９のように、脚穴部を前後方向の楕円形状抜き穴に形成して、この脚穴部の周囲にほぼ沿ってレッグ用弾性糸を添設すると、脚穴が大きいので着用者の脚の出し入れがスムーズになるとともに、レッグ用弾性糸の収縮力によって、脚穴部周りからの横漏れをより確実に防止できるようになる。
【００４０】
請求項１０のように、脚穴部を前後方向のスリットに形成し、このスリットの左右にほぼ沿って、前腹部の前端と後背部の後端に亘ってレッグ用弾性糸を添設すると、脚穴部のくり抜きが不要でコスト安になるとともに、レッグ用弾性糸の収縮力によって、脚穴部周りからの横漏れをより確実に防止できるようになる。また、レッグ用弾性糸は、前腹部と後背部のボディフィット用弾性糸の下側と股用吸収体の前後端部との間の部分にも位置するようになるので、この部分のレッグ用弾性糸の収縮力によって、股用吸収体の前後端部からの漏れをより確実に防止できるようになる。さらに、レッグ用弾性糸は、前腹部の前端と後背部の後端に亘って連続的に添設されているので、レッグ用弾性糸の添設工程が容易になる。
【００４１】
請求項１１のように、外面側シートと肌面側シートとを接着して股部と前腹部と後背部とを構成して、腰脇用吸収体を外面側シートと肌面側シートとの間に挟着固定すると、腰脇用吸収体を製造段階で正規の位置に固定することができる。
【００４２】
請求項１２のように、外面側シートと肌面側シートとを接着して股部と前腹部と後背部とを構成して、腰脇用吸収体を肌面側シートの上に接着固定すると、腰脇用吸収体を製造段階で正規の位置に固定できるとともに、必要に応じて後付けも可能になる。なお、交換可能に固定することも可能である。
【００４３】
請求項１３のように、股用吸収体の左右位置に立ち上がりフラップを設けると、股用吸収体からの横漏れをより確実に防止できるようになる。
【発明を実施するための最良の形態】
【００４４】
以下、本発明の実施の形態を図面を参照して詳細に説明する。
【００４５】
図１および図２は、第１実施形態の使い捨てパンツ型おむつ１Ａであり、図１は展開状態の平面図、図２は組み立て状態の斜視図である。
【００４６】
図１８の分解斜視図、図１９（ａ）の断面図、図２０（ａ）の断面図を参照すると、使い捨てパンツ型おむつ１Ａは、外面側シート２と肌面側シート３とを備え、両シート２，３は、２枚重ねでホットメルト接着剤、熱接着、超音波接着等により接着固定されて、パンツ型おむつ本体４を構成するようになる。
【００４７】
上記外面側シート２は、後述する股用吸収体１０や腰脇用吸収体１１で吸収した排泄物が外側にしみ出すのを防ぐために、撥水性若しくは不透液性のシート材料が好ましい。より好ましくは、通常使い捨ておむつに用いられる撥水性不織布材料（スパンボンド不織布、メルトブロー不織布、ＳＭＳ不織布等）、通気性若しくは非通気性のプラスチックフィルム、これらの複合材料等が好適に用いられる。
【００４８】
上記肌面側シート３は、着用者からの排泄物を素早く捕捉し、股用吸収体１０や腰脇用吸収体１１に移行させる必要があるため、透液性のシート材料が好ましい。より好ましくは、通常使い捨ておむつに用いられる親水性繊維（セルロース、レーヨン、コットン等）を用いた不織布材料、あるいは疎水性繊維（ポリプロピレン、ポリエチレン、ポリアミド、ナイロン等）の表面を界面活性剤により処理して透液性とした不織布材料、または開孔を有するプラスチックフィルム等が好適に用いられる。
【００４９】
このパンツ型おむつ本体４は、図１および図１８の展開状態において、長さ方向Ｂの中央部分に股部Ｒが形成されるとともに、この股部Ｒの左右に、前腹部Ｐと後背部Ｑのそれぞれが左半分と右半分とで一体形成されている。また、この各半分の前腹部Ｐと後背部Ｑとに跨って、幅方向Ａ（着用時には前後方向）の楕円形状抜き穴である脚穴部Ｓがそれぞれ形成されている。
【００５０】
そして、左右の前腹部Ｐの前端４ａ同士と左右の後背部Ｑの後端４ｂ同士とを、それぞれ外方に折り曲げて〔図２１（ａ）参照〕ヒートシール等で接合することにより、図２の組み立て状態に組み立てられて、前腹部Ｐと後背部Ｑの上端部分に胴回り開口部Ｔが形成されるようになる。
【００５１】
このように、左右の前腹部Ｐの前端４ａ同士と後背部Ｑの後端４ｂ同士とを接合することにより、前腹部Ｐと後背部Ｑとに跨る左右の腰脇部分Ｕに接合部分を無くすることができる。
【００５２】
上記外面側シート２と肌面側シート３との間には、前腹部Ｐと後背部Ｑの上側に幅方向Ａに伸張状態で複数本のウエスト用弾性糸６が添設されるとともに、その下側に幅方向Ａに伸張状態で複数本のボディフィット用弾性糸７が添設されている。また、楕円形状抜き穴に形成された脚穴部Ｓの周囲にほぼ沿って、円周方向に伸張状態で複数本のレッグ用弾性糸８が添設されている。このように、ウエスト用弾性糸６とボディフィット用弾性糸７とレッグ用弾性糸８を添設すると、使い捨てパンツ型おむつ１Ａ全体が着用者の身体にフィットして、着用時の快適性がより向上するようになる。上記各弾性糸６〜８と後述するフラップ用弾性糸９は、ポリウレタン、ポリウレタンフィルム、天然ゴム等を用いるのが好ましい。
【００５３】
上記外面側シート２と肌面側シート３との間の股部Ｒには、股用吸収体１０が固定配置されている。この股用吸収体１０は、股部Ｒの中心部分に位置して、その前部１０ａと後部１０ｂは、前腹部Ｐと後背部Ｑの方向にそれぞれ延長されて、レッグ用弾性糸８に重ならない外側位置において、左右の脚穴部Ｓに沿うよう略Ｘ字形状に形成されている。
【００５４】
上記外面側シート２と肌面側シート３との間の前腹部Ｐと後背部Ｑとに跨る左右の腰脇部分には、腰脇用吸収体１１がそれぞれ固定配置されている。この腰脇用吸収体１１は、幅方向Ａに長い長方形状に形成されて、ボディフィット用弾性糸７に重なるようになる。上記腰脇用吸収体１１は、着用者の左右の腰脇部分に位置して、着用者が左右いずれの向きで横向きに寝たような場合でも、一方の腰脇用吸収体１１が着用者の下に位置するようになる。
【００５５】
上記股用吸収体１０および腰脇用吸収体１１は、粉砕したパルプ繊維やセルロース繊維等の親水性繊維集合層に粒状の高分子吸収体を混合した吸収コアをティッシュペーパー等の紙シートあるいは透液性不織布シートで包んで所定形状に成形したものである。また、着用者が歩いたり、寝返りを打ったりしても形状を保持できるように、親水性繊維集合体やシートに形状保持手段（ホットメルト接着剤の塗布や合成繊維の混合）を施しても良い。さらに、上記繊維や高分子吸収体をシート状に成形したシート状吸収体（エアレイド不織布、ポリマーシート等）を所定形状に成形しても良い。
【００５６】
上記股用吸収体１０の左右位置には、図１９（ａ）に示したように、立ち上がりフラップ１２がそれぞれ設けられている。この立ち上がりフラップ１２は、基端部１２ａが肌面側シート３にホットメルト接着剤等で接着されるとともに、上端部１２ｂは内側に曲げられ、その下端は立ち上がりフラップ１２に接合されて立ち上がり封止部１２ｃが形成され〔図２１（ｂ）参照〕、この立ち上がり封止部１２ｃ内には、幅方向Ａに伸張状態で複数本のフラップ用弾性糸９が添設されている。この立ち上がりフラップ１２は、上記外面側シート２と同様のシート材料であるのが好ましい。
【００５７】
このような立ち上がりフラップ１２を設けると、股用吸収体１０からの横漏れをより確実に防止できるようになる。
【００５８】
図１９（ａ）は、股用吸収体１０を外面側シート２と肌面側シート３との間に挟着固定したものであって、このようにすれば、股用吸収体１０を製造段階で正規の位置に固定することができる。
【００５９】
また、図１９（ｂ）に示すように、股用吸収体１０を別体として、肌面側シート３に接着固定することも可能である。この場合には、透液性の表面シート１０ｃと不透液性の裏面シート１０ｄとの間に吸収コア１０ｅを挟着固定するとともに、この股用吸収体１０の両側部に立ち上がりフラップ１２を一体に設ければ良い。このようにすれば、股用吸収体１０は必要に応じて後付けも可能になるし、交換可能に固定することも可能である。
【００６０】
図２０（ａ）は、腰脇用吸収体１１を外面側シート２と肌面側シート３との間に挟着固定したものであって、このようにすれば、股用吸収体１０を製造段階で正規の位置に固定することができる。
【００６１】
また、図２０（ｂ）に示すように、腰脇用吸収体１１を別体として、肌面側シート３に接着固定することも可能である。この場合には、透液性の表面シート１１ｃと不透液性の裏面シート１１ｄとの間に吸収コア１１ｅを挟着固定する。このようにすれば、腰脇用吸収体１１は必要に応じて後付けも可能になるし、交換可能に固定することも可能である。
【００６２】
上記第１実施形態の使い捨てパンツ型おむつ１Ａは、前腹部Ｐと後背部Ｑの左半分と右半分とを、前端４ａ同士と後端４ｂ同士とを接合するタイプのパンツ形状である。
【００６３】
そして、この接合部分の無い左右の腰脇部分Ｕに、腰脇用吸収体１１をそれぞれ固定配置したから、着用者の腰脇部分全体を腰脇用吸収体１１で広範囲にカバーできるとともに、腰脇用吸収体１１が寝返り動作等で外れないので、腰脇部分Ｕからの横漏れを広範囲で確実に防止できる。また、腰脇用吸収体１１は、着用者の左右の両方をカバーできるので、例えば下向きとなる左側をカバーした状態で、右側が下向きとなるように着用者が寝返ったような場合でも、腰脇部分Ｕからの横漏れを広範囲で確実に防止できるようになる。
【００６４】
また、パンツ型おむつとして、腰脇用吸収体１１を固定配置したから、着用者や介護者にとって固定作業や着用作業に手間がかからなくなるとともに、着用時の快適性が向上するようになる。
【００６５】
さらに、脚穴部Ｓを楕円形状抜き穴に形成して、この脚穴部Ｓの周囲にほぼ沿ってレッグ用弾性糸８を接着したから、脚穴が大きいので着用者の脚の出し入れがスムーズになるとともに、レッグ用弾性糸８の収縮力によって、脚穴部周りからの横漏れをより確実に防止できるようになる。
【００６６】
さらにまた、股用吸収体１０の前後部を前腹部Ｐと後背部Ｑの方向にそれぞれ延長して、左右の脚穴部Ｓに沿うよう略Ｘ字形状に形成したから、脚穴部Ｓ周りからの横漏れをより確実に防止できるようになる。
【００６７】
図３および図４は、第２実施形態の使い捨てパンツ型おむつ１Ｂであり、図３は展開状態の平面図、図４は組み立て状態の斜視図である。
【００６８】
第１実施形態の使い捨てパンツ型おむつ１Ａと相違する構成は、腰脇吸収体１１を固定配置する腰脇部分Ｕのボディフィット用弾性糸７の収縮力を小さく設定したことである。この収縮力を小さく設定する方法としては、例えばヒートエンボスを用いてボディフィット用弾性糸７を溶融する方法やギャザーカッターを用いてボディフィット用弾性糸７をカットする方法がある。
【００６９】
このように構成すると、ボディフィット用弾性糸７の収縮に伴う腰脇用吸収体１１の撚れを防止できるから、着用者の腰脇に対する腰脇用吸収体１１の密着性が向上して、腰脇部分Ｕからの横漏れをより確実に防止できるようになる。
【００７０】
図５および図６は、第３実施形態の使い捨てパンツ型おむつ１Ｃであり、図５は展開状態の平面図、図６は組み立て状態の斜視図である。
【００７１】
第１実施形態の使い捨てパンツ型おむつ１Ａと相違する構成は、腰脇用吸収体１１の前部１１ａと後部１１ｂを左右の脚穴部Ｓに沿うよう略Ｃ字形状に形成したことである。
【００７２】
このように構成すると、股用吸収体１０の前後部１０ａ，１０ｂを左右の脚穴部Ｓに沿うよう略Ｘ字形状に形成したことと相俟って、腰脇用吸収体１１と股用吸収体１０とが脚穴部Ｓ周りのほぼ全周を取り囲むようになるので、脚穴部Ｓ周りからの横漏れをより確実に防止できるようになる。
【００７３】
図７および図８は、第４実施形態の使い捨てパンツ型おむつ１Ｄであり、図７は展開状態の平面図、図８は組み立て状態の斜視図である。
【００７４】
第１実施形態の使い捨てパンツ型おむつ１Ａと相違する構成は、股用吸収体１０´を長方形状に形成したことである。
【００７５】
このように構成すると、シンプルな形状となって、コスト安になる。
【００７６】
図９および図１０は、第５実施形態の使い捨てパンツ型おむつ１Ｅであり、図９は展開状態の平面図、図１０は組み立て状態の斜視図である。
【００７７】
第１実施形態の使い捨てパンツ型おむつ１Ａと相違する構成は、脚穴部Ｓを前後方向のスリットに形成し、このスリット状脚穴部Ｓ´の左右にほぼ沿って、前腹部Ｐの前端１４ａと後背部Ｑの後端１４ｂに亘ってレッグ用弾性糸８を添設したことである。
【００７８】
このように構成すると、脚穴部Ｓ´のくり抜きが不要でコスト安になるとともに、レッグ用弾性糸８の収縮力によって、脚穴部Ｓ´周りからの横漏れをより確実に防止できるようになる。また、レッグ用弾性糸８は、前腹部Ｐと後背部Ｑのボディフィット用弾性糸７の下側と股用吸収体１０の前後部１０ａ，１０ｂとの間の部分にも位置するようになるので、この部分のレッグ用弾性糸８の収縮力によって、股用吸収体１０の前後部１０ａ，１０ｂからの漏れをより確実に防止できるようになる。さらに、レッグ用弾性糸８は、前腹部Ｐの前端４ａと後背部Ｑの後端４ｂに亘って連続的に添設されているので、レッグ用弾性糸８の添設工程が容易になる。
【００７９】
図１１および図１２は、第６実施形態の使い捨てパンツ型おむつ１Ｆであり、図１１は展開状態の平面図、図１２は組み立て状態の斜視図である。
【００８０】
第１実施形態の使い捨てパンツ型おむつ１Ａと相違する構成は、股部Ｒと前腹部Ｐと後背部Ｑのそれぞれが左半分と右半分とで形成するとともに、この各半分の前腹部Ｐと後背部Ｑとに跨って脚穴部Ｓをそれぞれ形成して、左右の前腹部Ｐの前端４ａ同士と左右の後背部Ｑの後端４ｂ同士と左右の股部Ｒの側端４ｃ同士を接合するとともに、左右の股部Ｓに股用吸収体１０Ａ，１０Ｂをそれぞれ固定配置したことである。
【００８１】
このように構成すると、前腹部Ｐと後背部Ｑの左半分と右半分との折り返し部分となる股部の中心部分Ｃに股用吸収体１０（Ａ，Ｂ）が存在しないから、折り返しても股部Ｒが堅くならないので、着用時の快適性がより向上するとともに、見映えも良好になる。
【００８２】
上記第１〜６実施形態の使い捨てパンツ型おむつ１Ａ〜１Ｆは、前腹部Ｐと後背部Ｑの左半分と右半分とを、前端４ａ同士と後端４ｂ同士とを接合するタイプのパンツ形状であったが、前腹部Ｐと後背部Ｑとに跨る左右の腰脇部分Ｕ以外の部分で前腹部Ｐと後背部Ｑとを接合するタイプのパンツ形状にも適用することができる。
【００８３】
すなわち、図１３および図１４は、第７実施形態の使い捨てパンツ型おむつ１Ｇであり、図１３は展開状態の平面図、図１４は組み立て状態の斜視図である。
【００８４】
第７実施形態の使い捨てパンツ型おむつ１Ｇは、前腹部Ｐを股部Ｒとほぼ同幅にするとともに、後背部Ｑの両側を広幅にして、この広幅の両側部４ｄを前腹部Ｐ側に廻し込んで、両側部４ｄの側縁４ｅと前腹部Ｐの側縁４ｆとを接合することにより、前腹部Ｐと後背部Ｑとに跨る左右の腰脇部分Ｕに接合部分を無くすることができる。
【００８５】
図１５および図１６は、第８実施形態の使い捨てパンツ型おむつ１Ｈであり、図１５は展開状態の平面図、図１６は組み立て状態の斜視図である。
【００８６】
第１実施形態の使い捨てパンツ型おむつ１Ａと相違する構成は、腰脇用吸収体１１´を薄型のシート状としたことである。
【００８７】
すなわち、図１７（ａ）（ｂ）に示すように、表面シート１４ａと裏面シート１４ｂとの間に、長さ方向Ｂに所定の間隔を隔てて幅方向Ａに延在するＳＡＰ（高吸収性ポリマー）層１４ｃを配置している。
【００８８】
透液性の表面シート１４ａと透液性の裏面シート１４ｂは、ＳＡＰ層１４ｃの存在する領域のみに接着剤１４ｄを塗布するとともに、外周囲部分およびＳＡＰ層１４ｃの間の部分は、相互にシール部分１４ｅを形成して、ＳＡＰ層１４ｃが吸水して膨潤した際に型くずれしないようにしている。
【００８９】
上記腰脇用吸収体１１´は、図２０（ａ）に示したと同様に、外面側シート２と肌面側シート３との間に挟着固定しても良いが、図１７（ｃ）に示すように、透液性の表面シート１４ｆと不透液性の裏面シート１４ｇとの間に、吸収コアとしての腰脇用吸収体１１´を挟着固定して、肌面側シート３に接着固定することも可能である。この場合には、腰脇用吸収体１１´は必要に応じて後付けも可能になるし、交換可能に固定することも可能である。
【００９０】
上記各実施形態の使い捨てパンツ型おむつ１Ａ〜１Ｈの個々の特徴的な構成は、各実施形態毎に特有の構成では無く、個々の特徴的な構成を適宜に組み合わせて使用できることは勿論である。
【図面の簡単な説明】
【００９１】
【図１】第１実施形態の使い捨てパンツ型おむつの展開状態の平面図である。
【図２】図１の組み立て状態の斜視図である。
【図３】第２実施形態の使い捨てパンツ型おむつの展開状態の平面図である。
【図４】図３の組み立て状態の斜視図である。
【図５】第３実施形態の使い捨てパンツ型おむつの展開状態の平面図である。
【図６】図５の組み立て状態の斜視図である。
【図７】第４実施形態の使い捨てパンツ型おむつの展開状態の平面図である。
【図８】図７の組み立て状態の斜視図である。
【図９】第５実施形態の使い捨てパンツ型おむつの展開状態の平面図である。
【図１０】図９の組み立て状態の斜視図である。
【図１１】第６実施形態の使い捨てパンツ型おむつの展開状態の平面図である。
【図１２】図１１の組み立て状態の斜視図である。
【図１３】第７実施形態の使い捨てパンツ型おむつの展開状態の平面図である。
【図１４】図１３の組み立て状態の斜視図である。
【図１５】第８実施形態の使い捨てパンツ型おむつの展開状態の平面図である。
【図１６】図１５の組み立て状態の斜視図である。
【図１７】第８実施形態に使用した腰脇用吸収体であり、（ａ）は要部斜視図、（ｂ）は（ａ）の断面図、（ｃ）は図１５のＺ−Ｚ断面図である。
【図１８】第１実施形態の使い捨てパンツ型おむつの分解斜視図である。
【図１９】（ａ）は図１のＸ−Ｘ線断面図、（ｂ）は変形例の図１のＸ−Ｘ線断面図である。
【図２０】（ａ）は図１のＹ−Ｙ線断面図、（ｂ）は変形例の図１のＹ−Ｙ線断面図である。
【図２１】（ａ）は前腹部と後背部の前後端の要部平面図、（ｂ）は立ち上がりフラップの要部側面図である。
【符号の説明】
【００９２】
１Ａ〜１Ｈ 使い捨てパンツ型おむつ
２ 外面側シート
３ 肌面側シート
４ パンツ型おむつ本体
４ａ 前端
４ｂ 後端
４ｃ 側端
６ ウエスト用弾性糸
７ ボディフィット用弾性糸
８ レッグ用弾性糸
９ フラップ用弾性糸
１０，１０´ 股用吸収体
１１，１１´ 腰脇用吸収体
１２ 立ち上がりフラップ
Ｐ 前腹部
Ｑ 後背部
Ｒ 股部
Ｓ，Ｓ´ 脚穴部
Ｕ 腰脇部分
【図１】
2008142556.tif 000003
【図２】
2008142556.tif 000004
【図３】
2008142556.tif 000005
【図４】
2008142556.tif 000006
【図５】
2008142556.tif 000007
【図６】
2008142556.tif 000008
【図７】
2008142556.tif 000009
【図８】
2008142556.tif 000010
【図９】
2008142556.tif 000011
【図１０】
2008142556.tif 000012
【図１１】
2008142556.tif 000013
【図１２】
2008142556.tif 000014
【図１３】
2008142556.tif 000015
【図１４】
2008142556.tif 000016
【図１５】
2008142556.tif 000017
【図１６】
2008142556.tif 000018
【図１７】
2008142556.tif 000019
【図１８】
2008142556.tif 000020
【図１９】
2008142556.tif 000021
【図２０】
2008142556.tif 000022
【図２１】
2008142556.tif 000023
【手続補正書】
【提出日】平成20年4月17日(2008.4.17)
【手続補正１】
【補正対象書類名】特許請求の範囲
【補正対象項目名】全文
【補正方法】変更
【補正の内容】
【特許請求の範囲】
【請求項１】
前腹部と後背部との間の股部に股用吸収体が固定配置されて、
前腹部を股部とほぼ同幅にするとともに、後背部の両側を広幅にして両側部とし、
この広幅の両側部を前腹部に廻し込んで、両側部の側縁と前腹部の側縁とが接合され、股部の両側に脚穴部が形成されるとともに、上記前腹部と後背部とに跨る左右の腰脇部分以外の部分で前腹部と後背部とが接合されてなり、
上記腰脇部分に、腰脇用吸収体がそれぞれ固定配置されていることを特徴とする使い捨てパンツ型おむつ。
【請求項２】
上記前腹部と後背部の上側にウエスト用弾性糸が添設され、その下側にボディフィット用弾性糸が添設され、上記脚穴部にレッグ用弾性糸が添設されている請求項１に記載の使い捨てパンツ型おむつ。
【請求項３】
上記腰脇吸収体が固定配置された部位のボディフィット用弾性糸の収縮力が小さく設定されている請求項２記載の使い捨てパンツ型おむつ。
【請求項４】
上記腰脇用吸収体の前後部は、左右の脚穴部に沿うよう略Ｃ字形状に形成されている請求項１〜３のいずれか１項に記載の使い捨てパンツ型おむつ。
【請求項５】
上記股用吸収体は、長方形状に形成されている請求項１〜４のいずれか１項に記載の使い捨てパンツ型おむつ。
【請求項６】
上記脚穴部は、前後方向の楕円形状抜き穴に形成され、この脚穴部の周囲にほぼ沿って上記レッグ用弾性糸が添設されている請求項１〜５のいずれか１項に記載の使い捨てパンツ型おむつ。
【請求項７】
上記股部と前腹部と後背部とは、外面側シートと肌面側シートとを接着して構成され、上記腰脇用吸収体は、外面側シートと肌面側シートとの間に挟着固定されている請求項１〜６のいずれか１項に記載の使い捨てパンツ型おむつ。
【請求項８】
上記股部と前腹部と後背部とは、外面側シートと肌面側シートとを接着して構成され、上記腰脇用吸収体は、肌面側シートの上に接着固定されている請求項１〜６のいずれか１項に記載の使い捨てパンツ型おむつ。
【請求項９】
上記股用吸収体の左右位置に、立ち上がりフラップが設けられている請求項１〜８のいずれか１項に記載の使い捨てパンツ型おむつ。
【請求項１０】
上記腰脇用吸収体は、表面シートと裏面シートとの間に、長さ方向に所定の間隔を隔てて幅方向に延在するＳＡＰ（高吸収性ポリマー）層を配置したシート状体である請求項１〜９のいずれか１項に記載の使い捨てパンツ型おむつ。
【手続補正２】
【補正対象書類名】明細書
【補正対象項目名】００１３
【補正方法】変更
【補正の内容】
【００１３】
上記課題を解決するために、本発明は、前腹部と後背部との間の股部に股用吸収体が固定配置されて、前腹部を股部とほぼ同幅にするとともに、後背部の両側を広幅にして両側部とし、この広幅の両側部を前腹部に廻し込んで、両側部の側縁と前腹部の側縁とが接合され、股部の両側に脚穴部が形成されるとともに、上記前腹部と後背部とに跨る左右の腰脇部分以外の部分で前腹部と後背部とが接合されてなり、上記腰脇部分に、腰脇用吸収体がそれぞれ固定配置されていることを特徴とする使い捨てパンツ型おむつを提供するものである。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
上記前腹部と後背部の上側にウエスト用弾性糸が添設され、その下側にボディフィット用弾性糸が添設され、上記脚穴部にレッグ用弾性糸が添設されている構成が好ましい。
【手続補正６】
【補正対象書類名】明細書
【補正対象項目名】００１８
【補正方法】変更
【補正の内容】
【００１８】
上記腰脇吸収体が固定配置された部位のボディフィット用弾性糸の収縮力が小さく設定されている構成が好ましい。
【手続補正７】
【補正対象書類名】明細書
【補正対象項目名】００１９
【補正方法】変更
【補正の内容】
【００１９】
本発明において、上記股用吸収体の前後部は、前腹部と後背部の方向にそれぞれ延長されて、左右の脚穴部に沿うよう略Ｘ字形状に形成されている構成が好ましい。
【手続補正８】
【補正対象書類名】明細書
【補正対象項目名】００２０
【補正方法】変更
【補正の内容】
【００２０】
上記腰脇用吸収体の前後部は、左右の脚穴部に沿うよう略Ｃ字形状に形成されている構成が好ましい。
【手続補正９】
【補正対象書類名】明細書
【補正対象項目名】００２１
【補正方法】変更
【補正の内容】
【００２１】
上記股用吸収体は、長方形状に形成されている構成とすることもできる。
【手続補正１０】
【補正対象書類名】明細書
【補正対象項目名】００２２
【補正方法】変更
【補正の内容】
【００２２】
上記脚穴部は、前後方向の楕円形状抜き穴に形成され、この脚穴部の周囲にほぼ沿って上記レッグ用弾性糸が添設されている構成とすることができる。
【手続補正１１】
【補正対象書類名】明細書
【補正対象項目名】００２３
【補正方法】変更
【補正の内容】
【００２３】
上記脚穴部は、前後方向のスリットに形成され、このスリットの左右にほぼ沿って、前腹部の前端と後背部の後端に亘って上記レッグ用弾性糸が添設されている構成とすることができる。
【手続補正１２】
【補正対象書類名】明細書
【補正対象項目名】００２４
【補正方法】変更
【補正の内容】
【００２４】
上記股部と前腹部と後背部とは、外面側シートと肌面側シートとを接着して構成され、上記腰脇用吸収体は、外面側シートと肌面側シートとの間に挟着固定されている構成とすることができる。
【手続補正１３】
【補正対象書類名】明細書
【補正対象項目名】００２５
【補正方法】変更
【補正の内容】
【００２５】
上記股部と前腹部と後背部とは、外面側シートと肌面側シートとを接着して構成され、上記腰脇用吸収体は、肌面側シートの上に接着固定されている構成とすることができる。
【手続補正１４】
【補正対象書類名】明細書
【補正対象項目名】００２６
【補正方法】変更
【補正の内容】
【００２６】
上記股用吸収体の左右位置に、立ち上がりフラップが設けられている構成が好ましい。
【手続補正１５】
【補正対象書類名】明細書
【補正対象項目名】００２７
【補正方法】変更
【補正の内容】
【００２７】
本発明は、前腹部と後背部とに跨る左右の腰脇部分以外の部分で前腹部と後背部とを接合するタイプのパンツ形状に適用するものである。例えば、前腹部を股部とほぼ同幅にするとともに、後背部の両側を広幅にして、この広幅の両側部を前腹部側に廻し込んで接合することにより、前腹部と後背部とに跨る左右の腰脇部分に接合部分を無くすることができる。
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】変更
【補正の内容】
【００３４】
ウエスト用弾性糸とボディフィット用弾性糸とレッグ用弾性糸を添設すると、使い捨てパンツ型おむつ全体が着用者の身体にフィットして、着用時の快適性がより向上するようになる。
【手続補正２０】
【補正対象書類名】明細書
【補正対象項目名】００３５
【補正方法】変更
【補正の内容】
【００３５】
腰脇吸収体を配置した部位のボディフィット用弾性糸の収縮力を小さく設定すると、ボディフィット用弾性糸の収縮に伴う腰脇用吸収体の撚れを防止できるから、着用者の腰脇に対する腰脇用吸収体の密着性が向上して、腰脇部分からの横漏れをより確実に防止できるようになる。
【手続補正２１】
【補正対象書類名】明細書
【補正対象項目名】００３６
【補正方法】変更
【補正の内容】
【００３６】
股用吸収体の前後部を前腹部と後背部の方向にそれぞれ延長して、左右の脚穴部に沿うよう略Ｘ字形状に形成すると、脚穴部周りからの横漏れをより確実に防止できるようになる。
【手続補正２２】
【補正対象書類名】明細書
【補正対象項目名】００３７
【補正方法】変更
【補正の内容】
【００３７】
腰脇用吸収体の前後部を左右の脚穴部に沿うよう略Ｃ字形状に形成すると、股用吸収体を左右の脚穴部に沿うよう略Ｘ字形状に形成することと相俟って、腰脇用吸収体と股用吸収体とが脚穴部周りのほぼ全周を取り囲むようになるので、脚穴部周りからの横漏れをより確実に防止できるようになる。
【手続補正２３】
【補正対象書類名】明細書
【補正対象項目名】００３８
【補正方法】変更
【補正の内容】
【００３８】
股用吸収体を長方形状に形成すれば、シンプルな形状となって、コスト安になる。
【手続補正２４】
【補正対象書類名】明細書
【補正対象項目名】００３９
【補正方法】変更
【補正の内容】
【００３９】
脚穴部を前後方向の楕円形状抜き穴に形成して、この脚穴部の周囲にほぼ沿ってレッグ用弾性糸を添設すると、脚穴が大きいので着用者の脚の出し入れがスムーズになるとともに、レッグ用弾性糸の収縮力によって、脚穴部周りからの横漏れをより確実に防止できるようになる。
【手続補正２５】
【補正対象書類名】明細書
【補正対象項目名】００４０
【補正方法】変更
【補正の内容】
【００４０】
脚穴部を前後方向のスリットに形成し、このスリットの左右にほぼ沿って、前腹部の前端と後背部の後端に亘ってレッグ用弾性糸を添設すると、脚穴部のくり抜きが不要でコスト安になるとともに、レッグ用弾性糸の収縮力によって、脚穴部周りからの横漏れをより確実に防止できるようになる。また、レッグ用弾性糸は、前腹部と後背部のボディフィット用弾性糸の下側と股用吸収体の前後端部との間の部分にも位置するようになるので、この部分のレッグ用弾性糸の収縮力によって、股用吸収体の前後端部からの漏れをより確実に防止できるようになる。さらに、レッグ用弾性糸は、前腹部の前端と後背部の後端に亘って連続的に添設されているので、レッグ用弾性糸の添設工程が容易になる。
【手続補正２６】
【補正対象書類名】明細書
【補正対象項目名】００４１
【補正方法】変更
【補正の内容】
【００４１】
外面側シートと肌面側シートとを接着して股部と前腹部と後背部とを構成して、腰脇用吸収体を外面側シートと肌面側シートとの間に挟着固定すると、腰脇用吸収体を製造段階で正規の位置に固定することができる。
【手続補正２７】
【補正対象書類名】明細書
【補正対象項目名】００４２
【補正方法】変更
【補正の内容】
【００４２】
外面側シートと肌面側シートとを接着して股部と前腹部と後背部とを構成して、腰脇用吸収体を肌面側シートの上に接着固定すると、腰脇用吸収体を製造段階で正規の位置に固定できるとともに、必要に応じて後付けも可能になる。なお、交換可能に固定することも可能である。
【手続補正２８】
【補正対象書類名】明細書
【補正対象項目名】００４３
【補正方法】変更
【補正の内容】
【００４３】
股用吸収体の左右位置に立ち上がりフラップを設けると、股用吸収体からの横漏れをより確実に防止できるようになる。